(57)【要約】【課題】適切な頻度でアルコール検査ないし運転適性検査等を行なわせ、飲酒運転を適切に防止することが可能な飲酒運転防止装置を提供すること。【解決手段】運転者の支払い履歴情報を取得する支払い履歴情報取得手段（５０）と、支払い履歴情報取得手段により取得された運転者の支払い履歴情報を参照して、運転者が飲酒を行なったか否かを推定する飲酒推定手段（６２）と、運転者が運転に適した状態であるか否かを判定する運転者状態判定手段（１０、６４）と、飲酒運転を抑制するための動作を行なう飲酒運転抑制手段（３０、４０、６６）と、を備え、飲酒推定手段により運転者が飲酒を行なったと推定された場合には、運転者状態判定手段により運転者が運転に適した状態である旨の判定を得たときに、飲酒運転抑制手段による飲酒運転を抑制するための動作が解除される、飲酒運転防止装置（５）。【選択図】図１
2008290553.tif 000002
【特許請求の範囲】
【請求項１】
運転者の支払い履歴情報を取得する支払い履歴情報取得手段と、
該支払い履歴情報取得手段により取得された運転者の支払い履歴情報を参照して、前記運転者が飲酒を行なったか否かを推定する飲酒推定手段と、
前記運転者が運転に適した状態であるか否かを判定する運転者状態判定手段と、
飲酒運転を抑制するための動作を行なう飲酒運転抑制手段と、を備え、
前記飲酒推定手段により前記運転者が飲酒を行なっていないと推定された場合には、前記運転者状態判定手段により前記運転者が運転に適した状態である旨の判定を得なくとも、前記飲酒運転抑制手段による飲酒運転を抑制するための動作が解除され、
前記飲酒推定手段により前記運転者が飲酒を行なったと推定された場合には、前記運転者状態判定手段により前記運転者が運転に適した状態である旨の判定を得たときに、前記飲酒運転抑制手段による飲酒運転を抑制するための動作が解除される、
ことを特徴とする、飲酒運転防止装置。
【請求項２】
請求項１に記載の飲酒運転防止装置であって、
前記支払い履歴情報取得手段は、ユーザーにより携帯される電子デバイスから有線又は無線による通信を行なって前記支払い履歴情報を取得する手段である、
飲酒運転防止装置。
【請求項３】
請求項２に記載の飲酒運転防止装置であって、前記電子デバイスは、飲食店又は酒類販売店において、支払い履歴情報が入力される、
飲酒運転防止装置。
【請求項４】
請求項１ないし３のいずれかに記載の飲酒運転防止装置であって、
前記飲酒運転抑制手段は、前記飲酒推定手段により前記運転者が飲酒を行なったと推定された場合に、警告を発する手段である、
飲酒運転防止装置。
【請求項５】
飲食店及び／又は酒類販売店に設置される支払い履歴情報入力装置であって、
ユーザーの支払いの際に、該ユーザーにより携帯される電子デバイスに、酒類の提供履歴及び／又は購入履歴に基づく支払い履歴情報を入力することを特徴とする、
支払い履歴情報入力装置。
【請求項６】
請求項２ないし４のいずれかに記載の飲酒運転防止装置と、請求項５に記載の支払い履歴情報入力装置と、を有する飲酒運転防止システム。
【請求項７】
運転者の支払い履歴情報を取得して、これに基づき前記運転者が飲酒を行なったか否かを推定する飲酒推定手段を有し、該飲酒運転推定手段の推定結果を、前記運転者に対応する車両に送信する情報センターと、
前記情報センターから前記推定結果を受信する推定結果受信手段、飲酒運転を抑制するための動作を行なう飲酒運転抑制手段、及び前記運転者が運転に適した状態であるか否かを判定する運転者状態判定手段を有する飲酒運転防止装置と、
を備える飲酒運転防止システムであって、
前記飲酒運転防止装置において、
前記推定結果受信手段により前記運転者が飲酒を行なっていない旨の推定結果が受信された場合には、前記運転者状態判定手段により前記運転者が運転に適した状態である旨の判定を得なくとも、前記飲酒運転抑制手段による飲酒運転を抑制するための動作が解除され、
前記推定結果受信手段により前記運転者が飲酒を行なっている旨の推定結果が受信された場合には、前記運転者状態判定手段により前記運転者が運転に適した状態である旨の判定を得たときに、前記飲酒運転抑制手段による飲酒運転を抑制するための動作が解除される、
ことを特徴とする、飲酒運転防止システム。
【請求項８】
運転者の支払い履歴情報を取得する支払い履歴情報取得手段と、
前記運転者が運転に適した状態であるか否かを判定する運転者状態判定手段と、
飲酒運転を抑制するための動作を行なう飲酒運転抑制手段と、を備える飲酒運転防止装置の制御方法であって、
前記支払い履歴情報取得手段により取得された前記運転者の支払い履歴情報を参照して、前記運転者が飲酒を行なったか否かを推定するステップと、
前記運転者が飲酒を行なっていないと推定された場合において、前記飲酒運転抑制手段の動作を解除するように前記飲酒運転抑制手段に指示するステップと、
前記運転者が飲酒を行なったと推定された場合において、前記運転者状態判定手段により前記運転者が運転に適した状態である旨の判定を得たときに、前記飲酒運転抑制手段の動作を解除するように前記飲酒運転抑制手段に指示するステップと、
を有することを特徴とする、飲酒運転防止装置の制御方法。
【発明の詳細な説明】
【技術分野】
【０００１】
本発明は、運転者が運転に適した状態であるか否かを判定した結果に基づいて飲酒運転を抑制するための動作を行なう飲酒運転防止装置、その制御方法、飲酒運転防止装置の作動に関わる支払い履歴情報をユーザーが携帯する電子デバイスに入力する支払い履歴情報入力装置、これらの双方を有する飲酒運転防止システム、情報センターと飲酒運転防止装置を備える飲酒運転防止システムに関する。
【背景技術】
【０００２】
近年、安全運転の観点から、例えば運転者の呼気や唾液、血液等に含まれるアルコールを検出するための検査機器を運転席付近に配設し、当該機器を用いたアルコール検査により運転者が酒気帯び状態や飲酒状態でないことが確認されなかった場合に、走行の制限や禁止等を行なう装置について研究が進められている。
【０００３】
また、運転者が飲酒状態であるか否か、すなわち運転に適した状態であるか否かを判定する手法としては、上記の如きアルコール検査を行なう手法だけでなく、何らかの運転適正検査を受けさせることも考えられる。
【０００４】
これらに関連し、呼気中のアルコール濃度を測定し、測定値が規定値以下のときにのみイグニッション回路を作動可能にして、エンジン始動を許可する装置についての発明が開示されている（例えば、特許文献１参照）。
【特許文献１】特開平６−１９７８９７号公報
【発明の開示】
【発明が解決しようとする課題】
【０００５】
しかしながら、上記従来の装置においては、頻繁にアルコール濃度のチェックを行なわなければならず、運転者が煩わしさを感じる場合がある。飲酒の機会が全く無い、又は極めて少ない運転者も存在するからである。こうした煩わしさについては、運転者に何らかの運転適正検査等を受けさせるものであっても同様である。
【０００６】
本発明はこのような課題を解決するためのものであり、適切な頻度でアルコール検査ないし運転適性検査等を行なわせ、飲酒運転を適切に防止することが可能な飲酒運転防止装置を提供することを、主たる目的とする。
【課題を解決するための手段】
【０００７】
上記目的を達成するための本発明の第１の態様は、運転者の支払い履歴情報を取得する支払い履歴情報取得手段と、支払い履歴情報取得手段により取得された運転者の支払い履歴情報を参照して、運転者が飲酒を行なったか否かを推定する飲酒推定手段と、運転者が運転に適した状態であるか否かを判定する運転者状態判定手段と、飲酒運転を抑制するための動作を行なう飲酒運転抑制手段と、を備え、飲酒推定手段により運転者が飲酒を行なっていないと推定された場合には、運転者状態判定手段により運転者が運転に適した状態である旨の判定を得なくとも飲酒運転抑制手段による飲酒運転を抑制するための動作が解除され、飲酒推定手段により運転者が飲酒を行なったと推定された場合には、運転者状態判定手段により運転者が運転に適した状態である旨の判定を得たときに、飲酒運転抑制手段による飲酒運転を抑制するための動作が解除されることを特徴とする、飲酒運転防止装置である。
【０００８】
この本発明の第１の態様によれば、例えば車両の起動時等に作動する飲酒運転抑制手段の作動が、飲酒推定手段により運転者が飲酒を行なっていないと推定された場合には、運転者状態判定手段により運転者が運転に適した状態である旨の判定を得なくとも解除され、飲酒推定手段により運転者が飲酒を行なったと推定された場合には、運転者状態判定手段により運転者が運転に適した状態である旨の判定を得たときに解除される。従って、運転者状態判定手段の判定基準となる、アルコール検査装置や運転適正検査装置により検査を受けることが運転者に課せられるのは、支払い履歴情報に基づいて運転者が飲酒を行なったと推定された場合に制限される。この結果、頻繁にアルコール検査ないし運転適性検査等を行なわなければならず、運転者が煩わしさを感じるという不都合を抑制することができる。すなわち、適切な頻度でアルコール検査を行なわせ、飲酒運転を適切に防止することができる。
【０００９】
本発明の第１の態様において、支払い履歴情報取得手段は、例えば、ユーザーにより携帯される電子デバイスから有線又は無線による通信を行なって支払い履歴情報を取得する手段である。この場合、電子デバイスは、飲食店又は酒類販売店において、支払い履歴情報が入力される。
【００１０】
また、本発明の第１の態様において、飲酒運転抑制手段は、例えば、飲酒推定手段により運転者が飲酒を行なったと推定された場合に、警告を発する手段である。
【００１１】
本発明の第２の態様は、飲食店及び／又は酒類販売店に設置される支払い履歴情報入力装置であって、ユーザーの支払いの際に、ユーザーにより携帯される電子デバイスに、酒類の提供履歴及び／又は購入履歴に基づく支払い履歴情報を入力することを特徴とする、支払い履歴情報入力装置である。この場合、支払い履歴情報は、例えば、酒類の提供履歴及び／又は購入履歴に基づいて支払い履歴情報入力装置が生成するビット情報である。
【００１２】
本発明の第３の態様は、本発明の第１の態様の飲酒運転防止装置と、本発明の第２の態様の支払い履歴情報入力装置と、を有する飲酒運転防止システムである。
【００１３】
本発明の第４の態様は、運転者の支払い履歴情報を取得して、これに基づき運転者が飲酒を行なったか否かを推定する飲酒推定手段を有し、飲酒運転推定手段の推定結果を、運転者に対応する車両に送信する情報センターと、情報センターから推定結果を受信する推定結果受信手段、飲酒運転を抑制するための動作を行なう飲酒運転抑制手段、及び運転者が運転に適した状態であるか否かを判定する運転者状態判定手段を有する飲酒運転防止装置と、を備える飲酒運転防止システムであって、飲酒運転防止装置において、推定結果受信手段により前記運転者が飲酒を行なっていない旨の推定結果が受信された場合には、運転者状態判定手段により運転者が運転に適した状態である旨の判定を得なくとも、飲酒運転抑制手段による飲酒運転を抑制するための動作が解除され、推定結果受信手段により前記運転者が飲酒を行なっている旨の推定結果が受信された場合には、運転者状態判定手段により運転者が運転に適した状態である旨の判定を得たときに、飲酒運転抑制手段による飲酒運転を抑制するための動作が解除される、ことを特徴とする、飲酒運転防止システムである。
【００１４】
本発明の第５の態様は、運転者の支払い履歴情報を取得する支払い履歴情報取得手段と、運転者が運転に適した状態であるか否かを判定する運転者状態判定手段と、飲酒運転を抑制するための動作を行なう飲酒運転抑制手段と、を備える飲酒運転防止装置の制御方法であって、支払い履歴情報取得手段により取得された運転者の支払い履歴情報を参照して、運転者が飲酒を行なったか否かを推定するステップと、運転者が飲酒を行なっていないと推定された場合において、飲酒運転抑制手段の動作を解除するように飲酒運転抑制手段に指示するステップと、飲酒推定手段により運転者が飲酒を行なったと推定された場合において、運転者状態判定手段により運転者が運転に適した状態である旨の判定を得たときに、飲酒運転抑制手段の動作を解除するように飲酒運転抑制手段に指示するステップと、を有することを特徴とする、飲酒運転防止装置の制御方法である。
【発明の効果】
【００１５】
本発明によれば、適切な頻度でアルコール検査ないし運転適性検査等を行なわせ、飲酒運転を適切に防止することが可能な飲酒運転防止装置を提供することができる。
【発明を実施するための最良の形態】
【００１６】
以下、本発明を実施するための最良の形態について、添付図面を参照しながら実施例を挙げて説明する。
【実施例】
【００１７】
以下、本発明の一実施例に係る飲酒運転防止システム１、飲酒運転防止装置５、及び支払い履歴情報入力装置１００について説明する。
【００１８】
［構成］
図１は、飲酒運転防止システム１、及び飲酒運転防止装置５の全体構成の一例を示す図である。飲酒運転防止システム１は、車載装置及びユーザー携帯機器からなる飲酒運転防止装置５、及び飲食店や酒類販売店に設置される支払い履歴情報入力装置１００を有する。
【００１９】
飲酒運転防止装置５は、車両に搭載される主要な構成として、アルコール検査装置１０と、イグニッションスイッチ２０と、ＨＭＩ（Human  Machine  Interface）３０と、エンジンコントロールコンピューター４０と、支払い履歴情報取得装置５０と、飲酒運転防止装置用ＥＣＵ（Electronic  Control  Unit）６０と、を備える。また、ユーザーに携帯されるものとして、電子デバイス７０を備える。
【００２０】
アルコール検査装置１０は、例えば、呼気吹き込み口と、検査用センサーと、を備える。呼気吹き込み口は、運転席付近に配設される。より具体的には、運転席が車両の右側に在る国産車においては、例えばインストルメントパネルにおけるステアリングコラムの右方部分など、運転席に着座しなければ検査を受けることが困難となる箇所に配設されることが望ましい。これにより、運転者が検査を受けたことの確からしさを高いものにすることができる。呼気吹き込み口に吹き込まれた運転者の呼気は、専用の流路により検査用センサーに供給される。検査用センサーは、例えば、実際に人間の呼気が吹き込まれたことを確認するための圧力センサーや湿度センサー、及び呼気中のアルコール濃度を測定するアルコールガスセンサーを含む。検査用センサーの出力値、すなわちアルコール検査装置１０の検査値は、アナログ／デジタル変換器等を介して飲酒運転防止装置用ＥＣＵ６０に出力される。
【００２１】
なお、アルコール検査装置１０は、運転者が呼気を吹き込む態様のアルコール検査装置に限らず、運転者の唾液や血中のアルコール濃度を検出して出力するものであってもよいし、車室内の空気中のアルコール濃度を検出して、これを運転者の呼気に含まれるアルコール濃度とみなして出力するものであってもよい。
【００２２】
イグニッションスイッチ２０は、運転者の車両始動操作に応じて、車両始動要求信号としてのイグニッションオン信号や、車両システム起動信号としてのＡＣＣオン信号を、飲酒運転防止装置用ＥＣＵ６０に出力する。
【００２３】
ＨＭＩ３０は、例えば、タッチパネルとして構成された表示装置や音声入出力のためのスピーカー、ブザー等を含む。表示装置については、車載ナビゲーション装置との共用に係るものであってもよい。ＨＭＩ３０になされた入力内容は、飲酒運転防止装置用ＥＣＵ６０に出力され、ＨＭＩ３０の出力内容は、飲酒運転防止装置用ＥＣＵ６０により決定される。
【００２４】
エンジンコントロールコンピューター４０は、例えば、ＣＰＵを中心としてＲＯＭやＲＡＭ等がバスを介して相互に接続されたコンピューターユニットであり、その他、半導体メモリ、ＨＤＤ（Hard  Disc  Drive）、ＤＶＤ（Digital  Versatile  Disk）や、Ｉ／Ｏポート、タイマー、カウンター等を備える。ＲＯＭには、ＣＰＵが実行するプログラムやデータが格納されている。エンジンコントロールコンピューター４０は、スロットルモータやイグナイター、スタータモータ、変速機等の制御を一元的に行なっている。エンジンコントロールコンピューター４０は、イグニッションスイッチ２０から出力されるイグニッションオン信号が飲酒運転防止装置用ＥＣＵ６０を介して入力されたときに、スタータモータを駆動してエンジンを始動する。
【００２５】
支払い履歴情報取得装置５０は、電子デバイス７０と有線又は無線により通信を行ない、電子デバイス７０に記憶された支払い履歴情報を読み取って飲酒運転防止装置用ＥＣＵ６０に出力する。支払い履歴情報取得装置５０と電子デバイス７０との通信態様には特段の限定はなく、如何なるものを用いてもよいが、無線通信を行なう場合は、例えば、Bluetooth、無線ＬＡＮ、赤外線無線、ＩＣ通信、携帯電話の電波網等が用いられる。また、電子デバイス７０が、機械的に接続又は連結、或いは接触等されて有線通信を行なってもよい。
【００２６】
電子デバイス７０は、例えば、買い物や飲食における決済機能を有する電子デバイスである。電子デバイス７０の構成は、支払い履歴情報を入力及び記憶可能であり、且つ当該記憶された支払い履歴情報を支払い履歴情報取得装置５０に出力可能なものであれば、如何なる構成であってもよい。また、電子デバイス７０は、必ずしも支払い履歴情報を自己の電源により能動的に出力する必要はなく、例えば、支払い履歴情報取得装置５０から発信される特定の周波数の電磁波を受けて相互電磁誘導により発電し、これにより支払い履歴情報を送信するものであってよい。
【００２７】
電子デバイス７０として用いることができる機器の具体例としては、ＥＴＣクレジットカード、ショッピング・決済機能が付加された携帯電話やスマートキー等が考えられる。以下、夫々を用いた場合について説明する。
【００２８】
ＥＴＣクレジットカードは、買い物等の支払いをした後に、車両内のＥＴＣ車載機に挿入される。この場合、支払い履歴情報取得装置５０はＥＴＣ車載機を含んで構成される。ＥＴＣクレジットカードは、通行料金の支払いに必要なデータ、及び支払い履歴情報を記録している。ＥＴＣ車載機は、ＥＴＣクレジットカードに対して通行料金支払いに必要な情報の入出力を行ない、アンテナ設備を用いて、有料道路の料金所に備えられたＥＴＣ路側機との間で料金収受に関する情報を送受信する。具体的には、有料道路への自車両の進入時には入口料金所のＩＤや車種等を記録し、有料道路からの退出時には出口料金所のＩＤや車種等を記録するとともに有料道路代金を精算する等の処理を行なう。また、ＥＴＣ車載機は、車両システムの起動時（ＡＣＣオン時等）に、支払い履歴情報をＥＴＣクレジットカードから読み取って飲酒運転防止装置用ＥＣＵ６０に出力する。
【００２９】
ショッピング・決済機能が付加された携帯電話は、いわゆるおサイフケータイ等と称されているものであり、短距離無線通信等により買い物等の支払いを行なう。そして、これを携帯するユーザー（運転者）が車両に乗り込んで車両システムを起動させると、支払い履歴情報取得装置５０との間で無線通信を行なって（或いは所定の位置に連結されるか、ケーブル等で接続されて）、支払い履歴情報を支払い履歴情報取得装置５０に送信する。
【００３０】
スマートキーは、周知のスマートエントリーシステムの一部を構成するものであり、ユーザーＩＤを記憶したメモリや無線通信装置、リチウム電池、トランスポンダ等を備える。無線通信装置は、車両側の送受信ユニットが発する微弱電波（リクエスト信号）に対する応答信号として、上記ユーザーＩＤ等を含む信号を送信する。また、トランスポンダは、送受信ユニットに近づけられて特定の周波数の電磁波を受けると、相互電磁誘導により発電すると共にユーザーＩＤを含む信号を送信する。この場合、支払い履歴情報取得装置５０は、送受信ユニットを含んで構成される。また、スマートキーは、ロックボタンやアンロックボタンを備え、ロック信号やアンロック信号を送受信ユニットに送信する。送受信ユニットがユーザーＩＤを受信すると、これがイモビライザーＥＣＵ等のセキュリティ装置に送信され盗難等を防止するための個人認証が行なわれる。
【００３１】
本実施例では、スマートキーにショッピング・決済機能が付加されたものを想定している。すなわち、ショッピング・決済機能が付加された携帯電話と同様に短距離無線通信等により買い物等の支払いを行なった後、これを携帯するユーザー（運転者）が車両に乗り込んで車両システムを起動させると、支払い履歴情報取得装置５０との間で無線通信を行なって（或いは所定の位置に連結されるか、ケーブル等で接続されて）、支払い履歴情報を支払い履歴情報取得装置５０に送信する。
【００３２】
飲酒運転防止装置用ＥＣＵ６０は、例えば、エンジンコントロールコンピューター４０と同様のハードウエア構成を有するコンピューターユニットである。また、飲酒運転防止装置用ＥＣＵ６０は、ＲＯＭに格納されたプログラムをＲＡＭに展開（ロード）して実行することにより機能する主要な機能ブロックとして、飲酒推定部６２と、飲酒状態判定部６４と、走行制限制御部６６とを備える。各機能ブロックの機能については後述する。
【００３３】
支払い履歴情報入力装置１００は、例えば周知のＰＯＳ（Point  Of  Sales）システムを基本として構成され、入力装置や情報処理装置、メモリ、クレジットカード用端末、通信装置、現金授受のためのキャッシュドロワ等を有する。飲食店に設置される場合、入力装置は、例えばポータブルデータターミナルやテーブルオーダー端末を含むオーダーエントリーシステムである。また、酒類販売店に設置される場合、入力装置は、例えばレジ入力を行なうためのバーコードスキャナやタッチパネルである。
【００３４】
支払い履歴情報入力装置１００は、入力装置に対して飲食又は買い物に関する元情報がＪＡＮ（Japanese  Article  Number）コード等の形式で入力され、料金支払い時の所定操作がなされると、これに応じてＪＡＮコードの値を検索キーとし、メモリから売価などを呼び出して料金を特定する。情報処理装置は、電子デバイス７０を用いて支払いが行なわれた場合、上記元情報に含まれる酒類の提供数量又は販売数量に基づいて支払い履歴情報を生成し、これを電子デバイス７０に入力する。以下、支払い履歴情報の具体例について説明する。
【００３５】
［支払い履歴情報］
支払い履歴情報入力装置１００の情報処理装置は、飲食又は買い物に関する元情報に基づいて、例えばビット情報の形式で支払い履歴情報を生成する。ビット情報は、例えば、支払い者の飲酒可能性を示す２進法による２桁の数字であり、酒類の提供又は購入が一切ないことを示す「００」、酒類の提供又は購入はあるが支払い者の飲酒は不明である「１０」、酒類の提供又は購入があり支払い者の飲酒可能性が高いと推認される「１１」等と設定される。これらの値は、飲食又は買い物に関する元情報に対して予め定められたアルゴリズムを適用することにより決定される。例えば、食事が５人分提供され、ビールが１本だけ提供されたような場合は、支払い者の飲酒は不明であるとして「１０」が選択される。また、食事が４人分提供され、ビールが６本提供されたような場合は、支払い者の飲酒可能性が推認されるとして、「１１」が選択される。なお、電子デバイス７０には、降車時にデフォルト値として「０１」が入力されている。
【００３６】
支払い履歴情報をこのような簡易なデータとすることにより、電子デバイス７０が有する記憶媒体の容量を大きいものにする必要がなくなり、電子デバイス７０のコスト負担を軽減すると共に電子デバイス７０のサイズを小さくすることができる。また、電子デバイス７０と支払い履歴情報入力装置１００との間、及び電子デバイス７０と支払い履歴情報取得装置５０との間の通信付加を軽減することができる。
【００３７】
更に、ビット情報には、提供又は購入された酒類の種類に基づいて下位の付帯ビットが設定されてもよい。例えば、上位のビットが「１１」であるとして、主にビールが提供又は購入された場合は「１１−０００」が選択され、主に日本酒が提供又は購入された場合は「１１−００１」が選択され、主にワインが提供又は購入された場合は「１１−０１０」が選択され、主に焼酎が提供又は購入された場合は「１１−０１１」が選択され、主にウイスキーが提供又は購入された場合は「１１−１００」が選択される等が考えられる。こうすることにより、車両におけるアルコール検査の際に、各酒類が有する特有の成分に注目して検知を行なうことにより、運転者が飲酒状態であるか否かをより正確に判定することが可能となる。
【００３８】
［飲酒運転防止装置用ＥＣＵ６０の制御内容］
図２は、飲酒運転防止装置用ＥＣＵ６０が実行する特徴的な処理の内容を示すフローチャートである。本フローは、例えば車両システムの始動時（ＡＣＣオン時等）に開始される。
【００３９】
まず、飲酒運転防止装置用ＥＣＵ６０は、支払い履歴情報取得装置５０に対して支払い履歴情報の取得を要請する（Ｓ１００）。
【００４０】
これに応じて、支払い履歴情報取得装置５０は、例えば、（１）支払い履歴情報を取得できた場合はこれを飲酒運転防止装置用ＥＣＵ６０に送信し、（２）電子デバイス７０の存在は認知できたが支払い履歴はゼロであった場合（ビット情報がデフォルト値「１０」のままであった場合）も、支払い履歴情報を飲酒運転防止装置用ＥＣＵ６０に送信し、（３）電子デバイス７０の存在自体を認知できなかった場合はエラー信号を飲酒運転防止装置用ＥＣＵ６０に送信する。
【００４１】
飲酒推定部６２は、支払い履歴情報取得装置５０から入力された支払い履歴情報、又はエラー信号を参照し、運転者が飲酒を行なったか否かを推定する（Ｓ１０２）。例えば、ビット情報（の上位２桁）が「１０」又は「１１」であるとき、及びエラー信号が入力されたときに運転者が飲酒を行なったと推定し、ビット情報が「００」又は「０１」であるときに運転者が飲酒を行なっていないと推定する。エラー信号が入力されたときに運転者が飲酒を行なったと推定するのは、運転者が電子デバイス７０を携帯していないため飲酒推定の手がかりが得られない、或いは携帯していても飲酒の隠蔽のために電源を切っている等の事情が推認されるからである。また、これに限らず、支払い履歴情報の形式等に応じて任意に推定手法を変更してよい。ビット情報が「１０」のときには運転者が飲酒を行なっていないと推定するものとしてもよい。
【００４２】
走行制限処理部６６は、飲酒推定部６２が運転者が飲酒を行なっていないと推定した場合は、車両の走行を許可する（Ｓ１０４）。具体的には、イグニッションスイッチ２０からイグニッションオン信号が入力されたときに、これを通過させてエンジンコントロールコンピューター４０に出力する。これにより、運転者は所望のタイミングで運転を開始することができる。
【００４３】
走行制限処理部６６は、飲酒推定部６２が運転者が飲酒を行なったと推定した場合は、車両の走行を制限すると共に、ＨＭＩ３０を用いて警告の出力、及びアルコール検査装置１０によるアルコール検査を受けなければ車両の走行を許可しない旨を出力する（Ｓ１０６）。ここで、「車両の走行を制限する」とは、例えば、イグニッションスイッチ２０からイグニッションオン信号が入力されてもこれをエンジンコントロールコンピューター４０に出力しないことである。また、スタート信号のカット、エンジンコントロールコンピューター４０への走行禁止指示の出力、変速段の変更禁止指示、シフト位置の変更禁止、スタータモータへの電力供給停止、パーキングブレーキの作動、車速制限等を行なってもよい。
【００４４】
その後、運転者によりアルコール検査が受けられると、飲酒状態判定部６４は、アルコール検査装置１０の検査値を参照し、運転者が飲酒状態であるか否かを判定する（Ｓ１０８）。
【００４５】
走行制限処理部６６は、飲酒状態判定部６４が、運転者が飲酒状態でないと判定した場合は、車両の走行を許可する（Ｓ１０４）。これにより、運転者は所望のタイミングで運転を開始することができる。
【００４６】
一方、走行制限処理部６６は、飲酒状態判定部６４が、運転者が飲酒状態であると判定した場合は、車両の走行制限を継続する（Ｓ１１０）。これにより、運転者は運転を開始することができず、飲酒運転が未然に防止されることとなる。
【００４７】
本実施例の飲酒運転防止装置５によれば、支払い履歴情報（及びエラー信号）に基づいて運転者が飲酒を行なったと推定された場合に限定して、運転者にアルコール検査を課している。従って、頻繁にアルコール検査を行なわなければならず、運転者が煩わしさを感じるという不都合を抑制することができる。すなわち、適切な頻度でアルコール検査を行なわせ、飲酒運転を適切に防止することができる。
【００４８】
また、上記の如く飲酒運転防止装置５が奏する効果は、飲酒運転防止装置５と支払い履歴情報入力装置１００により実現される飲酒運転防止システム装置１が奏する効果であると考えてもよい。
【００４９】
［変形例］
以上、本発明を実施するための最良の形態について実施例を用いて説明したが、本発明はこうした実施例に何等限定されるものではなく、本発明の要旨を逸脱しない範囲内において種々の変形及び置換を加えることができる。
【００５０】
例えば、飲食店又は酒類販売店において、ビット情報生成等の処理を行なわず、通常の支払い明細のみを電子デバイス７０に記憶させるものとしてもよい。この場合、飲酒運転防止装置用ＥＣＵ６０において、支払い明細から、運転者が飲酒を行なったか否かを直接的に推定することとなる。
【００５１】
また、アルコール検査装置１０に代えて、何らかの運転適正検査を行なう検査装置を備えてもよい。ここで、運転適正検査とは、何かを音読させるものであったり、数字を記憶させる等の簡易なものでよい。
【００５２】
また、図３に示す如く、電子デバイス７０及び支払い履歴情報入力装置１００を必須の構成とせず、クレジットカードにより支払いを行なった運転者の支払い履歴情報が、飲食店や酒類販売店のクレジット端末１１０からクレジット会社２００に送信され、これが情報センター２１０を介して無線通信により車両側に送信されるものとしてもよい。ここで、情報センター２１０は、例えばユーザーとの契約により有償の情報通信サービスを行なう設備であり、クレジット会社２００のホストコンピューター等とネットワーク９０を介して接続される。
【００５３】
この場合、支払い履歴情報取得装置５０は、無線通信を行なう通信装置であり、例えば、無線基地局８０やネットワーク９０を介して情報センター２１０から支払い履歴情報を取得する。なお、支払い履歴情報取得装置５０と無線基地局８０との間では、携帯電話網、ＰＨＳ（Personal  Handy-phone  System）網、無線ＬＡＮ、ＷｉＭＡＸ（Worldwide  Interoperability  for  Microwave  Access）、衛星電話、ビーコン等を利用した無線通信が行なわれる。無線基地局８０と情報センター２１０とを接続するネットワーク９０は、例えば、公衆電話交換網（PSTN）やデジタル通信ネットワーク（ISDN）、光ファイバ等の有線ネットワークである。
【００５４】
なお、図３の如き構成を有する場合であっても、図２のフローチャートを用いて説明した、飲酒運転防止装置用ＥＣＵ６０の制御内容を援用することができる。
【００５５】
また、図４に示す如く、クレジットカードにより支払いを行なった運転者の支払い履歴情報が、飲食店や酒類販売店のクレジット端末１１０からクレジット会社２００を介して情報センター２１０に送信され、これに基づき情報センター２１０のサーバ２２０（前述した飲酒推定部６２と同様の機能を有する）が、運転者が飲酒を行なったか否かを推定し、推定結果を、車両に搭載された飲酒運転防止装置に送信するものとしてもよい。情報センター２１０の性質や、情報センター２１０と車両の通信態様は、図３について説明したものと同様であってよい。
【００５６】
この場合、図４に示す如く、車両に搭載された飲酒運転防止装置は、飲酒推定部６２を省略し、支払い履歴情報取得装置５０に代えて無線通信装置５２を備える。そして、図５に示す如きフローチャートに従って特徴的な処理を実行することとなる。本フローも、例えば車両システムの始動時（ＡＣＣオン時等）に開始される。
【００５７】
まず、飲酒運転防止装置用ＥＣＵ６０は、無線通信装置５２に対して情報センター２１０に接続して推定結果を取得するように要請する（Ｓ２００）。なお、当該接続は、車両側から能動的に行なわれるのに限らず、情報センター２１０から定期的に接続トライがなされ、車両が受動的に受信する態様であってもよい。
【００５８】
そして、飲酒運転防止装置用ＥＣＵ６０は、推定結果について判定を行ない（Ｓ２０２）、無線通信装置５２により運転者が飲酒を行なっていない旨の推定結果が受信された場合には、走行制限処理部６６が車両の走行を許可する（Ｓ２０４）。
【００５９】
無線通信装置５２により運転者が飲酒を行なった旨の推定結果が受信された場合、及び推定結果自体が受信されなかった場合は、走行制限処理部６６が車両の走行を制限すると共に、ＨＭＩ３０を用いて警告の出力、及びアルコール検査装置１０によるアルコール検査を受けなければ車両の走行を許可しない旨を出力する（Ｓ２０６）。
【００６０】
その後、運転者によりアルコール検査が受けられると、飲酒状態判定部６４は、アルコール検査装置１０の検査値を参照し、運転者が飲酒状態であるか否かを判定し（Ｓ２０８）、飲酒状態判定部６４が、運転者が飲酒状態でないと判定した場合に、車両の走行を許可する（Ｓ２０４）。一方、飲酒状態判定部６４が、運転者が飲酒状態であると判定した場合は、車両の走行制限を継続する（Ｓ２１０）。
【００６１】
更に、図３又は図４に例示した構成において、アルコール検査装置１０の検査値を参照して運転者が飲酒状態であるか否かを判定する機能（飲酒状態判定部６４に相当する機能）を、情報センター２１０が有するものとしても構わない。この場合、アルコール検査装置１０の検査値が無線通信等により情報センター２１０に送信され、判定結果が情報センター２１０から車両に送信される。こうすれば、情報センター２１０側において、判定結果に関する統計データや季節要因等を用いて、判定の基準・手法を柔軟に変更することができる。
【産業上の利用可能性】
【００６２】
本発明は、自動車製造業や自動車部品製造業等に利用可能である。
【図面の簡単な説明】
【００６３】
【図１】飲酒運転防止システム１、及び飲酒運転防止装置５の全体構成の一例を示す図である。
【図２】飲酒運転防止装置用ＥＣＵ６０が実行する特徴的な処理の内容を示すフローチャートである。
【図３】飲酒運転防止システム及び飲酒運転防止装置の全体構成の他の例を示す図である。
【図４】飲酒運転防止システム及び飲酒運転防止装置の全体構成の他の例を示す図である。
【図５】飲酒運転防止装置用ＥＣＵ６０が実行する特徴的な処理の内容を示すフローチャートの他の例である。
【符号の説明】
【００６４】
１  飲酒運転防止システム
５  飲酒運転防止装置
１０  アルコール検査装置
２０  イグニッションスイッチ
３０  ＨＭＩ
４０  エンジンコントロールコンピューター
５０  支払い履歴情報取得装置
５２  無線通信装置
６０  飲酒運転防止装置
６２  飲酒推定部
６４  飲酒状態判定部
６６  走行制限制御部
７０  電子デバイス
８０  無線基地局
９０  ネットワーク
１００  支払い履歴情報入力装置
１１０  クレジット端末
２００  クレジット会社
２１０  情報センター
２２０  サーバ
【図１】
2008290553.tif 000003
【図２】
2008290553.tif 000004
【図３】
2008290553.tif 000005
【図４】
2008290553.tif 000006
【図５】
2008290553.tif 000007